(57)【要約】本発明は、請求項１に記載した式（１）の化合物を含む、貯蔵安定性の蛍光漂白配合物、その製造方法並びにその使用に関する。【特許請求の範囲】
【請求項１】
（ａ）少なくとも１個の式（１）： 
【化１】
2006527296.tif 000021
［式中、
Ｒ１及びＲ２は、互いに独立して、水素、置換されていないＣ１〜Ｃ８のアルキル又は置換されているＣ１〜Ｃ８のアルキルであり、
Ｘ１、Ｘ２、Ｘ３及びＸ４は、互いに独立して、−Ｎ（Ｒ３）Ｒ４又は−ＯＲ５であって、ここで、
Ｒ３及びＲ４は、互いに独立して、水素、シアノ、置換されていないＣ１〜Ｃ８のアルキル、置換されているＣ１〜Ｃ８のアルキル、置換されていないＣ５〜Ｃ７のシクロアルキル若しくは置換されていないＣ５〜Ｃ７のシクロアルキルであるか、或いは
Ｒ３及びＲ４は、それらを結合している窒素原子とともに複素環を形成し、
Ｒ５は、置換されていないＣ１〜Ｃ８のアルキル又は置換されているＣ１〜Ｃ８のアルキルであり、並びに
Ｍは、水素又はカチオンである］の化合物５〜６０重量％（漂白配合物全重量を基準）、
（ｂ）少なくとも１個のアニオン性多糖類０．０１〜１重量％（漂白配合物全重量を基準）、
（ｃ）少なくとも１個の電解質０〜２５重量％（漂白配合物全重量を基準）、
（ｄ）少なくとも１個の分散剤０〜２０重量％（漂白配合物全重量を基準）、
（ｅ）少なくとも１個の更に別の蛍光漂白剤０〜３０重量％（漂白配合物全重量を基準）、
（ｆ）少なくとも１個の更に別の任意の選択成分０〜２０重量％（漂白配合物全重量を基準）、並びに
（ｇ）１００重量％にするための水
を含む貯蔵安定性の蛍光漂白配合物。
【請求項２】
少なくとも１個の式（１）：
［式中、
Ｒ１及びＲ２は、互いに独立して、水素又はＣ１〜Ｃ４のアルキル、特に水素であり、
Ｘ１、Ｘ２、Ｘ３及びＸ４は、互いに独立して、式−Ｎ（Ｒ３）Ｒ４で表される基であって、ここで
Ｒ３及びＲ４は、好ましくは、互いに独立して、水素、シアノ、置換されていないＣ１〜Ｃ８アルキル又はヒドロキシ、カルボキシ、シアノ、−ＣＯＯＨ、Ｈ２ＮＣ（ＮＨ）ＮＨ２、−ＣＯＮＨ２若しくはフェニルで置換されているＣ１〜Ｃ８アルキル（Ｃ１〜Ｃ８アルキル基は−Ｏ−で中断されていないか又は中断されている）、置換されていないＣ５〜Ｃ７シクロアルキル又はＣ１〜Ｃ４アルキルで置換されているＣ５〜Ｃ７シクロアルキルであるか、或いは
Ｒ３及びＲ４は、それらを結合している窒素原子とともに、置換されていないモルホリノ、ピペリジン若しくはピロリジン環又はＣ１〜Ｃ４アルキルで置換されているモルホリノ、ピペリジン若しくはピロリジン環を形成している］の化合物５〜６０重量％（漂白配合物全重量を基準）を含む、請求項１記載の貯蔵安定性の蛍光漂白配合物。
【請求項３】
少なくとも１個の式（１）：
［式中、
Ｘ１及びＸ３は、−ＮＨ２であり、
Ｘ２及びＸ４は、互いに独立して、式−Ｎ（Ｒ３）Ｒ４で表される基であって、ここで
Ｒ３及びＲ４は、互いに独立して、水素、シアノ、置換されていないＣ１〜Ｃ８アルキル又はヒドロキシ、カルボキシ、−ＣＯＯＨ、シアノ、−ＣＯＮＨ２、−ＮＨＣ（ＮＨ）ＮＨ２、若しくはフェニルで置換されているＣ１〜Ｃ８アルキル、（Ｃ１〜Ｃ８アルキル基は−Ｏ−で中断されていないか又は中断されている）置換されていないシクロヘキシル又はＣ１〜Ｃ４アルキルで置換されているシクロヘキシルであるか、或いは
Ｒ３及びＲ４は、それらを結合している窒素原子とともに、置換されていないモルホリノ、ピペリジン若しくはピロリジン環又はＣ１〜Ｃ４アルキルで置換されているモルホリノ、ピペリジン若しくはピロリジン環を形成している］の化合物５〜６０重量％（漂白配合物全重量を基準）を含む、請求項１記載の貯蔵安定性の蛍光漂白配合物。
【請求項４】
少なくとも１個の式（１）の化合物５〜５０重量％、好ましくは１０〜５０重量％（漂白配合物全重量を基準）を含む、前記請求項のいずれか１項記載の貯蔵安定性の蛍光漂白配合物。
【請求項５】
アニオン性多糖類が、アルギン酸ナトリウム、カルボキシメチル化グアール、カルボキシメチルセルロース、カルボキシメチル澱粉、カルボキシメチル化イナゴマメ粉及びキサンタンガムから成る群から選択される、前記請求項のいずれか１項記載の貯蔵安定性の蛍光漂白配合物。
【請求項６】
少なくとも１個のアニオン性多糖類０．０５〜０．５重量％、好ましくは０．１〜０．３重量％（漂白配合物全重量を基準）を含む、前記請求項のいずれか１項記載の貯蔵安定性の蛍光漂白配合物。
【請求項７】
電解質又は電解質の混合物が、アルカリ金属塩及び低級カルボン酸から成る群から選択される、前記請求項のいずれか１項記載の貯蔵安定性の蛍光漂白配合物。
【請求項８】
少なくとも１個の電解質０．５〜２０重量％、好ましくは０．５〜１５重量％（漂白配合物全重量を基準）を含む、前記請求項のいずれか１項記載の貯蔵安定性の蛍光漂白配合物。
【請求項９】
分散剤又は分散剤の混合物が、アルキルベンゼンスルホン酸塩、アルキル−又はアルケニルエーテルスルホン酸塩、飽和又は不飽和脂肪酸、アルキル−又はアルキレンエーテルカルボン酸塩、スルホ脂肪酸塩又は−エステル、燐酸エステル、ポリオキシエチレンアルキル−又はアルケニルエーテル、ポリオキシエチレンアルキルビニルエーテル、ポリオキシプロピレンアルキル−又は−アルケニルエーテル、ポリオキシブチレンアルキル−又は−アルケニルエーテル、高級脂肪酸のアルカノールアミド又はアルキレンオキシドとの付加物、ショ糖／脂肪酸エステル、脂肪酸／グリコールモノエステル、アルキルアミンオキシド及び芳香族スルホン酸とホルムアルデヒドとの縮合生成物並びにリグニンスルホン酸塩から成る群から選択される、前記請求項のいずれか１項記載の貯蔵安定性の蛍光漂白配合物。
【請求項１０】
少なくとも１個の分散剤０．１〜２０重量％、好ましくは０．１〜１０重量％（漂白配合物全重量を基準）を含む、前記請求項のいずれか１項記載の貯蔵安定性の蛍光漂白配合物。
【請求項１１】
少なくとも１個の更に別の式（２）：
【化２】
2006527296.tif 000022
［式中、
Ｒ６及びＲ８は、互いに独立して、水素、置換されていないＣ１〜Ｃ８アルキル又は置換されているＣ１〜Ｃ８アルキルであり、
Ｒ７及びＲ９は、互いに独立して、水素、置換されていないフェニル、置換されていないＣ１〜Ｃ８アルキル若しくは置換されているＣ１〜Ｃ８アルキルであるか、又は
ＮＲ６Ｒ７及び／若しくはＮＲ８Ｒ９がモルホリノ環を形成し、並びに
Ｍは、水素又はカチオンである］の蛍光漂白剤を含む、前記請求項のいずれか１項記載の貯蔵安定性の蛍光漂白配合物。
【請求項１２】
Ｒ６及びＲ８が、互いに独立して、水素、置換されていないＣ１〜Ｃ２アルキル又はヒドロキシ若しくはＣ１〜Ｃ４アルコキシで置換されているＣ１〜Ｃ４アルキルであり、
Ｒ７及びＲ９が、互いに独立して、置換されていないフェニル、置換されていないＣ１〜Ｃ２アルキル又はヒドロキシ若しくはＣ１〜Ｃ４アルコキシで置換されているＣ１〜Ｃ４アルキルであり、或いは
ＮＲ６Ｒ７及び／又はＮＲ８Ｒ９が、モルホリノ環を形成し、並びに
Ｍが、アルカリ金属原子である請求項１１記載の貯蔵安定性の蛍光漂白配合物。
【請求項１３】
少なくとも１個の更に別の式（３）：
【化３】
2006527296.tif 000023
［式中、
Ｒ１０及びＲ１１は、互いに独立して、水素、Ｃ１〜Ｃ８アルキル、Ｃ１〜Ｃ８アルコキシ又はハロゲンであり、並びにＭは水素又はカチオンである］の蛍光漂白剤を含む、前記請求項のいずれか１項記載の貯蔵安定性の蛍光漂白配合物。
【請求項１４】
少なくとも１個の更に別の式（２）及び／又は式（３）の蛍光漂白剤０〜２５重量％、好ましくは０〜２０重量％を含む、前記請求項のいずれか１項記載の貯蔵安定性の蛍光漂白配合物。
【請求項１５】
任意の選択成分が防腐剤、ケイ酸（Ｍｇ／Ａｌ）、消臭剤、芳香剤、消泡剤、ビルダー、保護コロイド、安定剤、金属イオン封鎖剤及び凍結防止剤から成る群から選択される、前記請求項のいずれか１項記載の貯蔵安定性の蛍光漂白配合物。
【請求項１６】
少なくとも１個の任意の選択成分０．１〜２０重量％、好ましくは０．１〜１０重量％、特に好ましくは０．２〜５重量％、（漂白配合物全重量を基準）を含む、前記請求項のいずれか１項記載の貯蔵安定性の蛍光漂白配合物。
【請求項１７】
式（１）の蛍光漂白物の湿潤ろ過ケーキ又は乾燥粉末を、少なくとも１個のアニオン性多糖類及び水と混合する工程、及び配合物をホモジナイズする工程を含む、前記請求項のいずれか１項記載の貯蔵安定性の蛍光漂白配合物の製造方法。
【請求項１８】
洗剤組成物を製造するための、請求項１〜１６のいずれか１項記載の貯蔵安定性の蛍光漂白配合物の使用。
【発明の詳細な説明】
【技術分野】
【０００１】
本発明は、貯蔵安定性の蛍光漂白配合物、その製造方法及びその使用に関する。
【０００２】
本発明の貯蔵安定性の蛍光漂白配合物は、
（ａ）少なくとも１個の式（１）：
【０００３】
【化４】
2006527296.tif 000002
【０００４】
［式中、
Ｒ１及びＲ２は、互いに独立して、水素、置換されていないＣ１〜Ｃ８のアルキル又は置換されているＣ１〜Ｃ８のアルキルであり、
Ｘ１、Ｘ２、Ｘ３及びＸ４は、互いに独立して、−Ｎ（Ｒ３）Ｒ４又は−ＯＲ５であり、ここで、Ｒ３及びＲ４は、互いに独立して、水素、シアノ、置換されていないＣ１〜Ｃ８のアルキル、置換されているＣ１〜Ｃ８のアルキル、置換されていないＣ５〜Ｃ７のシクロアルキル若しくは置換されているＣ５〜Ｃ７のシクロアルキルであるか、又は
Ｒ３及びＲ４は、それらを結合している窒素原子とともに複素環を形成し、
Ｒ５は、置換されていないＣ１〜Ｃ８のアルキル又は置換されているＣ１〜Ｃ８のアルキルであり、並びに
Ｍは、水素又はカチオンである］の化合物５〜６０重量％（漂白配合物全重量を基準）、
（ｂ）少なくとも１個のアニオン性多糖類０．０１〜１重量％（漂白配合物全重量を基準）、
（ｃ）少なくとも１個の電解質０〜２５重量％（漂白配合物全重量を基準）、
（ｄ）少なくとも１個の分散剤０〜２０重量％（漂白配合物全重量を基準）、
（ｅ）少なくとも１個の更に別の蛍光漂白剤０〜３０重量％（漂白配合物全重量を基準）、
（ｆ）少なくとも１個の更に別の任意の選択成分０〜２０重量％（漂白配合物全重量を基準）、並びに
（ｇ）１００重量％にするための水を含む。
【０００５】
これらの新規な配合物は懸濁液であり、高温でも数ヶ月安定である。
【０００６】
上記の定義範囲において、Ｃ１〜Ｃ８アルキルは、メチル、エチル、ｎ−若しくはイソプロピル、ｎ−、ｓｅｃ．−若しくはｔ−ブチル、又は直鎖状若しくは分岐鎖状ペンチル、ヘキシル、ヘプチル若しくはオクチルであってもよい。好ましくは、Ｃ１〜Ｃ４アルキル基である。アルキル基が置換されている場合、可能な置換基の例としては、ヒドロキシ、フッ素、塩素若しくは臭素のようなハロゲン、スルホ、スルファト、カルボキシ及びメトキシやエトキシのようなＣ１〜Ｃ２アルコキシである。このようなアルキル基の他の置換基は、例えばシアノ、−ＣＯＮＨ２及びフェニルである。好ましい置換基は、ヒドロキシ、カルボキシ、シアノ、−ＣＯＯＨ、Ｈ２ＮＣ（ＮＨ）ＮＨ２、−ＣＯＮＨ２及びフェニルであり、特に好ましくは、ヒドロキシ及びカルボキシである。更に、極めて好ましい置換基は、ヒドロキシ及びＣ１〜Ｃ４アルコキシ、特にヒドロキシである。アルキル基はまた、−Ｏ−で中断されていなくても、中断されていてもよい（アルキル基が２個以上の炭素を含有する場合）。
【０００７】
Ｃ５〜Ｃ７アルキル基の例は、シクロペンチル及び特にシクロヘキシルである。これらの基は、置換されていなくても、例えばメチルのようなＣ１〜Ｃ４アルキルで置換されていてもよい。好ましくは、対応する置換されていないシクロアルキル基である。
【０００８】
ハロゲンは、フッ素、塩素、臭素又はヨウ素、好ましくは塩素であってもよい。
【０００９】
Ｒ３及びＲ４が、窒素と共に複素環を形成しているときには、このような環系は、例えば、モルホリノ、ピペリジン、又はピロリジンであってもよい。複素環は置換されていなくても、置換されていてもよい。このような置換基の例はＣ１〜Ｃ４アルキル、特にメチルである。
【００１０】
カチオンＭは、好ましくは、アルカリ金属カチオン、アルカリ土類金属カチオン、アンモニウム又はアミンから生成されるカチオンである。好ましくは、Ｌｉ、Ｎａ、Ｋ、Ｃａ、Ｍｇ、アンモニウム、モノ−、ジ−、トリ−若しくはテトラ−Ｃ１〜Ｃ４アルキルアンモニウム、モノ−、ジ−若しくはトリ−Ｃ２〜Ｃ４ヒドロキシアルキルアンモニウム又はＣ１〜Ｃ４アルキルとＣ２〜Ｃ４ヒドロキシアルキル基との混合物でジ−又はトリ−置換されたアンモニウムである。極めて好ましくはナトリウムである。
【００１１】
Ｒ１及びＲ２は、好ましくは、互いに独立して、水素、置換されていないＣ１〜Ｃ４アルキル又は置換されているＣ１〜Ｃ４アルキル、特に水素である。
【００１２】
Ｒ３及びＲ４は、好ましくは、互いに独立して、水素、シアノ、置換されていないか、ヒドロキシ、カルボキシ、シアノ、−ＣＯＯＨ、Ｈ２ＮＣ（ＮＨ）ＮＨ２、−ＣＯＮＨ２若しくはフェニル、特にヒドロキシ若しくはカルボキシで置換されているＣ１〜Ｃ８アルキル（Ｃ１〜Ｃ８アルキル基は−Ｏ−で中断されていないか又は中断されている）、置換されていないか、Ｃ１〜Ｃ４アルキルで置換されているＣ５〜Ｃ７シクロアルキル、特にシクロヘキシルであるか、或いはＲ３及びＲ４は、それらを結合している窒素原子と共に、置換されていないモルホリノ、ピペリジン若しくはピロリジン環又はＣ１〜Ｃ４アルキル置換されているモルホリノ、ピペリジン若しくはピロリジン環を形成している。
【００１３】
より好ましくは、Ｒ３及びＲ４は互いに独立して、水素、置換されていないＣ１〜Ｃ８アルキル若しくはヒドロキシ置換されているＣ１〜Ｃ８アルキル、置換されていないＣ５〜Ｃ７シクロアルキル又はＣ１〜Ｃ４アルキル置換されているＣ５〜Ｃ７シクロアルキルであるか、或いはＲ３及びＲ４は、それらを結合している窒素原子と共に、置換されていないモルホリノ、ピペリジン若しくはピロリジン環又はＣ１〜Ｃ４アルキル置換されているモルホリノ、ピペリジン若しくはピロリジン環を形成している。
【００１４】
Ｒ３及びＲ４の最も好ましい意味は、互いに独立して、水素、置換されていないＣ１〜Ｃ８アルキル又はヒドロキシ置換されているＣ１〜Ｃ８アルキルであるか、或いはＲ３及びＲ４は、それらを結合している窒素原子と共に、置換されていないモルホリノ、ピペリジン若しくはピロリジン環又はＣ１〜Ｃ４アルキル置換されているモルホリノ、ピペリジン若しくはピロリジン環を形成している。
【００１５】
極めて好ましくは、それらを結合している窒素原子と共に、Ｒ３及びＲ４によって形成されている、置換されていないモルホリノ、ピペリジン若しくはピロリジン環、又はＣ１〜Ｃ４アルキル置換されているモルホリノ、ピペリジン若しくはピロリジン環、特にモルホリノ環である。
【００１６】
−Ｎ（Ｒ３）Ｒ４基の例は下記である：
【００１７】
【化５】
2006527296.tif 000003
【００１８】
［式中、
Ｒ５は、好ましくは、置換されていないＣ１〜Ｃ８アルキル又は置換されているＣ１〜Ｃ８アルキル、特に置換されていないか、又はＣ１〜Ｃ４アルコシキ若しくは特にヒドロキシで置換されているＣ１〜Ｃ４アルキルである。
Ｒ５としてとりわけ好ましいのは、メチル又はエチル、特にメチルである。
【００１９】
Ｘ１、Ｘ２、Ｘ３及びＸ４は、好ましくは式−Ｎ（Ｒ３）Ｒ４の基である。
【００２０】
Ｘ１及びＸ３は、好ましくは同じ意味を有する。加えて、Ｘ２及びＸ４は、好ましくは同じ意味を有する。更に、Ｘ１、Ｘ２、Ｘ３及びＸ４の４つの基は好ましくは、同じ意味を持たない。
【００２１】
好ましくは、式（１：
［式中、
Ｒ１及びＲ２は、互いに独立して、水素又は置換されていないＣ１〜Ｃ４アルキルであり、
各々のＸ１、Ｘ２、Ｘ３及びＸ４は、互いに独立して、−Ｎ（Ｒ３）Ｒ４又は−ＯＲ５の基である
（ここで、
Ｒ３及びＲ４は、互いに独立して、水素、シアノ、置換されていないか又はヒドロキシ、カルボキシ、−ＣＯＯＨ、シアノ、−ＣＯＮＨ２、−ＮＨＣ（ＮＨ）ＮＨ２若しくはフェニルで置換されているＣ１〜Ｃ８アルキル（Ｃ１〜Ｃ８アルキル基は−Ｏ−で中断されていないか又は中断されている）、置換されていないＣ５〜Ｃ７シクロアルキル若しくはＣ１〜Ｃ４アルキル置換されているＣ５〜Ｃ７シクロアルキルであるか、或いは
Ｒ３及びＲ４はそれらを結合している窒素原子と共に、置換されていないモルホリノ、ピペリジン若しくはピロリジン環、又はＣ１〜Ｃ４アルキル置換されているモルホリノ、ピペリジン若しくはピロリジン環を形成し、並びに
Ｒ５は、置換されていないか又はヒドロキシで置換されているＣ１〜Ｃ８アルキルである）］の化合物である。
【００２２】
極めて好ましくは、式（１）：［式中、
Ｒ１及びＲ２は、互いに独立して、水素又は置換されていないＣ１〜Ｃ４アルキルであり、
Ｘ１及びＸ３は、−ＮＨ２であり、並びに
Ｘ２及びＸ４は式−Ｎ（Ｒ３）Ｒ４の基である
（ここで、
Ｒ３及びＲ４は、互いに独立して、水素、シアノ、置換されていないか、ヒドロキシ、カルボキシ、−ＣＯＯＨ、シアノ、−ＣＯＮＨ２、−ＮＨＣ（ＮＨ）ＮＨ２若しくはフェニルで置換されているＣ１〜Ｃ８アルキル（Ｃ１〜Ｃ８アルキル基は−Ｏ−で中断されていないか又は中断されている）、置換されていないシクロヘキシル又はＣ１〜Ｃ４アルキル置換されているシクロヘキシル、置換されていないシクロペンチル又はＣ１〜Ｃ４アルキル置換されているシクロペンチルであるか、或いは
Ｒ３及びＲ４は、それらを結合している窒素原子と共に、置換されていないモルホリノ、ピペリジン若しくはピロリジン環、又はＣ１〜Ｃ４アルキル置換されているモルホリノ、ピペリジン若しくはピロリジン環を形成している］の化合物。
【００２３】
また、次に規定する式（１）の化合物に、特に関心が持たれる。すなわち、
Ｒ１及びＲ２は、互いに独立して、水素又は置換されていないＣ１〜Ｃ４アルキルであり、
Ｘ１及びＸ３は、−ＮＨ２であり、そして
Ｘ２及びＸ４は式−Ｎ（Ｒ３）Ｒ４の基である。ここで、
Ｒ３及びＲ４は、互いに独立して、水素、置換されていないか又はヒドロキシで置換されているＣ１〜Ｃ８アルキル、置換されていないシクロヘキシル若しくはＣ１〜Ｃ４アルキルで置換されているシクロヘキシル、置換されていないシクロペンチル若しくはＣ１〜Ｃ４アルキルで置換されているシクロペンチルであるか、或いは
Ｒ３及びＲ４はそれらを結合している窒素原子と共に、置換されていないモルホリノ、ピペリジン、若しくはピロリジン環又はＣ１〜Ｃ４アルキルで置換されているモルホリノ、ピペリジン、若しくはピロリジン環を形成している。
【００２４】
特に興味深い式（１）の化合物は、Ｒ３及びＲ４がそれらを結合している窒素原子と共に、置換されていないモルホリノ、ピペリジン若しくはピロリジン環、又はＣ１〜Ｃ４アルキル置換されているモルホリノ、ピペリジン若しくはピロリジン環を形成する化合物である。
【００２５】
式（１）の化合物の量は、漂白配合物の全重量基準で、５〜６０重量％、好ましくは５〜５０重量％、より好ましくは１０〜５０重量％、最も好ましくは１０〜４５重量％である。
【００２６】
式（１）の化合物は既知であり、既知の方法と同様にして製造可能である。
【００２７】
式（１）の化合物は、既知の反応条件で、塩化シアヌルを、所望の順序で連続して、４，４−ジアミノスチルベン−２，２−ジスルホン酸、次にＸ１、Ｘ２、Ｘ３及びＸ４の基を導入可能なアミノ化合物のそれぞれに、反応させることにより、製造してもよい。好ましくは、先初に塩化シアヌル２モルを、４，４’−ジアミノスチルベン−２，２’−ジスルホン酸１モルと反応させ、次に得られた中間体をＸ１、Ｘ２、Ｘ３及びＸ４の基を導入可能なアミノ化合物と任意の順序で反応させる。Ｘ１とＸ３が同じ意味を持ち、並びにＸ２とＸ４もまた同じ意味を持つ化合物を調整するには、好ましくは、得られた中間体を、最初にＸ１及びＸ３を導入可能なアミノ化合物と反応させ、最後にＸ２及びＸ４を導入可能なアミノ化合物と反応させる。中間体を、アミノ化合物の混合物に反応させることにより、アミノ化合物との反応を、１工程で実行することも可能である。このような場合、通常、式（１）の化合物の対応する混合物が得られる。
【００２８】
式−ＯＲ５の基を含有する式（１）の化合物は、例えば、最初に塩化シアヌルを、対応するアルコールＨＯＲ５に反応させ、得られた生成物を４，４’−ジアミノスチルベン−２，２’−ジスルホン酸に反応させ、次に、中間体をＸ１、Ｘ２、Ｘ３及びＸ４の残留基を導入可能な別の化合物に反応させることにより、製造可能である。最後の反応は、好ましくは対応するアミノ化合物と反応させる。
【００２９】
本発明において、使用することのできるアニオン性多糖類は、セルロース、デンプン、ヘテロ多糖類から誘導可能な変性多糖類の群に属し、側鎖に、例えば、マンノース、グルクロン酸のような単糖類を含むことも可能である。アニオン性多糖類の例としては、アルギン酸ナトリウム、カルボキシメチル化グアール、カルボキシメチルセルロース、カルボキシメチルデンプン、カルボキシメチル化イナゴマメ粉および、特に好ましくは、キサンタンガムがある。
【００３０】
多糖類の量は、０．０１〜１重量％であり、０．０５〜０．５重量％の範囲が好ましく、０．１〜０．３重量％の範囲が特に好ましい。以上どの場合も、漂白剤配合物の全重量を基準としている。しかし、非常に高い濃度又は非常に低い濃度の配合物では、これらの範囲を超えてもよい。
【００３１】
電解質としては、例えば、１個又はそれ以上のアルカリ金属塩及び低級カルボン酸塩を、使用することができる。電解質の例は、塩化ナトリウム、硫酸ナトリウム、燐酸ナトリウム、炭酸ナトリウム、ギ酸ナトリウム、クエン酸ナトリウム又は対応するカリウム塩の一種、及びこれらの電解質の混合物である。塩化ナトリウム、クエン酸ナトリウム及びギ酸塩がここでは好ましい。電解質の量は、漂白剤配合物全重量基準で、０〜２５重量％、好ましくは０．５〜２０重量％、最も好ましくは、０．５〜１５重量％とすることができる。
【００３２】
使用可能な分散剤は、アニオン性又は非イオン性タイプの分散剤である。これらの例は、アルキルベンゼンスルホン酸塩、アルキル又はアルケニルエーテルスルホン酸塩、飽和又は不飽和脂肪酸、アルキル又はアルキレンエーテルカルボン酸塩、スルホ脂肪酸塩又はエステル、燐酸エステル、ポリオキシエチレンアルキル又はアルケニルエーテル、ポリオキシエチレンアルキルビニルエーテル、ポリオキシプロピレンアルキル又はアルケニルエーテル、ポリオキシブチレンアルキル又はアルケニルエーテル、高級脂肪酸のアルカノールアミド又はアルキレンオキシド付加物、ショ糖／脂肪酸エステル、脂肪酸／グリコールモノエステル、アルキルアミンオキシド及び芳香族スルホン酸とホルムアルデヒドとの縮合生成物、並びにリグニンスルホン酸、又は上記分散剤の混合物である。芳香族スルホン酸とホルムアルデヒドとの縮合生成物、及びリグニンスルホン酸が好ましい。ナフタレンスルホン酸とホルムアルデヒド及びジトリルエーテルスルホン酸とホルムアルデヒドの縮合生成物は、特に好ましい。
【００３３】
分散剤の含有量は、漂白配合物全重量基準で、０〜２０重量％、好ましくは０．１〜２０重量％、より好ましくは０．１〜１０重量％、最も好ましくは０．２〜５重量％である。
【００３４】
本発明の貯蔵安定性の蛍光漂白配合物は、少なくとも１個の更に別の式（２）：
【００３５】
【化６】
2006527296.tif 000004
【００３６】
［式中、
Ｒ６及びＲ８は、互いに独立して、水素、置換されていないＣ１〜Ｃ８アルキル又は置換されているＣ１〜Ｃ８アルキルであり、
Ｒ７及びＲ９は、互いに独立して、水素、置換されていないフェニル、置換されていないＣ１〜Ｃ８アルキル又は置換されているＣ１〜Ｃ８アルキルであり、或いは
ＮＲ６Ｒ７及び／若しくはＮＲ８Ｒ９がモルホリノ環を形成し、並びに
Ｍは、水素又はカチオンである］並びに／或いは少なくとも１個の更に別の式（３）：
【００３７】
【化７】
2006527296.tif 000005
【００３８】
［式中、
Ｒ１０及びＲ１１は、互いに独立して、水素、置換されているＣ１〜Ｃ８アルキル又は置換されていないＣ１〜Ｃ８アルキル、Ｃ１〜Ｃ８アルコキシ又はハロゲンであり、そしてＭは水素又はカチオンである］の蛍光漂白剤０〜３０重量％（漂白配合物全重量基準）を更に含むことができる。
【００３９】
式（２）の好ましい化合物は、
Ｒ６及びＲ８が、互いに独立して、水素、置換されていないＣ１〜Ｃ４アルキル若しくは置換されたＣ１〜Ｃ４アルキルであり、
Ｒ７及びＲ９が、互いに独立して、置換されていないフェニル、置換されていないＣ１〜Ｃ４アルキル若しくは置換されているＣ１〜Ｃ４アルキルであるか、或いは
ＮＲ６Ｒ７及び／又はＮＲ８Ｒ９が、モルホリノ環を形成し、並びに
Ｍが、アルカリ金属原子、アルカリ土類金属原子、アンモニウム又はアミンから形成されたカチオンである化合物である。
【００４０】
式（２）のより好ましい化合物は、
Ｒ６及びＲ８が、互いに独立して、水素、置換されていないＣ１〜Ｃ２アルキル、又はヒドロキシ若しくはＣ１〜Ｃ４アルコキシで置換されたＣ１〜Ｃ４アルキルであり、
Ｒ７及びＲ９が、互いに独立して、置換されていないフェニル、置換されていないＣ１〜Ｃ２アルキル、又はヒドロキシ若しくはＣ１〜Ｃ４アルコキシで置換されているＣ１〜Ｃ４アルキルであるか、或いは
ＮＲ６Ｒ７及び／又はＮＲ８Ｒ９が、モルホリノ環を形成し、並びに
Ｍが、アルカリ金属原子である化合物である。
【００４１】
より好ましい式（２）の化合物は式（２ａ）：
【００４２】
【化８】
2006527296.tif 000006
【００４３】
［式中、
Ｒ’６が、水素、置換されていないＣ１〜Ｃ２アルキル、又はヒドロキシ若しくはＣ１〜Ｃ４アルコキシで置換されたＣ１〜Ｃ４アルキルであり、
Ｒ’７が、置換されていないフェニル、置換されていないＣ１〜Ｃ２アルキル、又はヒドロキシ若しくはＣ１〜Ｃ４アルコキシで置換されているＣ１〜Ｃ４アルキルであるか、或いは
ＮＲ’６Ｒ’７が、モルホリノ環を形成し、並びに
Ｍが、アルカリ金属原子、好ましくはナトリウムである］の化合物である。
【００４４】
そのような好ましい式（２）の例は、下記の式（２ｂ）〜（２ｆ）の化合物である。
【００４５】
【化９】
2006527296.tif 000007
【００４６】
式（３）の好ましい化合物は、
Ｒ１０及びＲ１１が、互いに独立して、水素、置換されていないＣ１〜Ｃ４アルキル若しくは置換されているＣ１〜Ｃ４アルキル、Ｃ１〜Ｃ４アルコキシ又はハロゲンであり、並びに
Ｍが、水素又はカチオンである化合物である。
【００４７】
その製造方法のみならず、式（２）及び（３）の化合物もまた既知である。
【００４８】
式（１）及び（２）及び／又は（３）の化合物の混合物において、化合物（１）の化合物（２）及び／又は化合物（３）に対するモル比は、通常０．１：９９．９〜９９．９：０．１の範囲、好ましくは１：９９〜９９：１、より好ましくは５：９５〜９５：５である。とりわけ好ましくは、モル比１０：９０〜９０：１０、特に２０：８０〜８０：２０である。モル比３０：７０〜７０：３０、特に４０：６０〜６０：４０が、最も重要である。
【００４９】
更に別の蛍光漂白剤の含有量は、漂白配合物全重量基準で０〜３０重量％、好ましくは０〜２５重量％、より好ましくは０〜２０重量％である。
【００５０】
もし適切ならば、本発明の漂白配合物は、任意の選択成分を更に含むことができる。例として、クロロアセトアミド、トリアジン誘導体、ベンゾイソチアゾリン、２−メチル−２Ｈ−イソチアゾール−３オン、２−オクチル−２Ｈ−イソチアゾール−３オン、２−ブロモ−２−ニトロプロパン−１，３−ジオール若しくはホルムアルデヒド水溶液のような防腐剤又は防腐剤混合物、ベントナイト、モンモリロナイト、ゼオライト若しくは高度分散ケイ酸のようなケイ酸（Ｍｇ／Ａｌ）又はケイ酸（Ｍｇ／Ａｌ）の混合物、消臭剤及び芳香剤又はそれらの混合物、消泡剤又はその混合物、ビルダー又はその混合物、保護コロイド又はその混合物、安定剤又はその混合物、金属イオン封鎖剤並びにプロピレングリコールのような凍結防止剤又はその混合物がある。
【００５１】
これら任意の選択成分の含有量は、漂白配合物全重量基準で０〜２０重量％、好ましくは０．１〜２０重量％、より好ましくは０．１〜１０重量％、最も好ましくは０．２〜５重量％である。
【００５２】
適したビルダー又は保護コロイドの例は、キサンタンガム、カルボキシメチルセルロース及びポリビニルアルコール（ＰＶＡ）のような、セルロース又はヘテロ多糖類から誘導される変性多糖類、ポリビニルピロリドン（ＰＶＰ）、ポリエチレングリコール（ＰＥＧ）及びケイ酸アルミニウム又はケイ酸マグネシウムである。これらは、通常、漂白配合物全重量基準で、濃度範囲０．０１〜２重量％、好ましくは０．０５〜０．５重量％で使用される。
【００５３】
安定化のために使用される補助剤の例は、漂白配合物全重量基準で、エチレングリコール、プロピレングリコール又は分散剤０．２〜５重量％、好ましくは０．３〜２重量％である。  
【００５４】
防腐剤として使用される化合物は、漂白配合物全重量基準で、クロロアセトアミド、トリアジン誘導体、ベンゾイソチアゾリン、２−メチル−２Ｈ−イソチアゾール−３オン、２−オクチル−２Ｈ−イソチアゾール−３オン、２−ブロモ−２−ニトロプロパン−１，３−ジオール又はホルムアルデヒド水溶液０．１〜１重量％、好ましくは０．１〜０．５重量％である。
【００５５】
本発明の好ましい蛍光漂白配合物は、
（ａ）少なくとも１個の式（１’）：
【００５６】
【化１０】
2006527296.tif 000008
【００５７】
［式中、
Ｒ１及びＲ２は、互いに独立して、水素、又は置換されていないＣ１〜Ｃ４のアルキルであり、
Ｒ３及びＲ４は、互いに独立して、水素、シアノ、置換されていないＣ１〜Ｃ８アルキル、又はヒドロキシ、カルボキシ、−ＣＯＯＨ、Ｈ２ＮＣ（ＮＨ）ＮＨ２、シアノ、−ＣＯＮＨ２若しくはフェニルで置換されているＣ１〜Ｃ８アルキル（Ｃ１〜Ｃ８アルキル基は−Ｏ−で中断されていないか又は中断されている）、置換されていないＣ５〜Ｃ７シクロアルキル又はＣ１〜Ｃ４アルキル置換されているＣ５〜Ｃ７シクロアルキルであるか、或いは
Ｒ３及びＲ４は、それらを結合している窒素原子とともに、置換されていないモルホリノ、ピペリジン若しくはピロリジン環、又はＣ１−Ｃ４アルキル置換されているモルホリノ、ピペリジン若しくはピロリジン環を形成し、並びに
Ｍはアルカリ金属カチオン、アルカリ土類金属カチオン、アンモニウム又はアミンから形成されるカチオンである］の化合物、漂白配合物全重量基準で、５〜５０重量％、好ましくは１０〜５０重量％、より好ましくは１０〜４５重量％、
（ｂ）漂白配合物全重量基準で、少なくとも１個のアニオン性多糖類０．０５〜０．５重量％、好ましくは０．１〜０．３重量％、
（ｃ）漂白配合物全重量基準で、アルカリ金属塩及び／又は低級カルボン酸から成る群から選択される、少なくとも１個の電解質０〜２５重量％、好ましくは０．５〜２０重量％、より好ましくは０．５〜１５重量％、
（ｄ）漂白配合物全重量基準で、アルキルベンゼンスルホン酸塩、アルキル又はアルケニルエーテルスルホン酸塩、飽和又は不飽和脂肪酸、アルキル又はアルキレンエーテルカルボン酸塩、スルホ脂肪酸塩又はエステル、燐酸エステル、ポリオキシエチレンアルキル又はアルケニルエーテル、ポリオキシエチレンアルキルビニルエーテル、ポリオキシプロピレンアルキル又はアルケニルエーテル、ポリオキシブチレンアルキル又はアルケニルエーテル、高級脂肪酸のアルカノールアミド又はアルキレンオキシド付加物、ショ糖／脂肪酸エステル、脂肪酸／グリコールモノエステル、アルキルアミンオキシド及び芳香族スルホン酸とホルムアルデヒドとの縮合生成物並びにリグニンスルホン酸塩から成る群から選択される、少なくとも１個の分散剤０〜２０重量％、好ましくは０．１〜２０重量％、より好ましくは０．１〜１０重量％、特に好ましくは０．２〜５重量％、
（ｅ）式（２）：
【００５８】
【化１１】
2006527296.tif 000009
【００５９】
［式中、
Ｒ６及びＲ８が、互いに独立して、水素、置換されていないＣ１〜Ｃ２アルキル、又はヒドロキシ若しくはＣ１〜Ｃ４アルコキシで置換されているＣ１〜Ｃ４アルキルであり、
Ｒ７及びＲ９が、互いに独立して、置換されていないフェニル、置換されていないＣ１〜Ｃ２アルキル、又はヒドロキシ若しくはＣ１〜Ｃ４アルコキシで置換されているＣ１〜Ｃ４アルキルであるか、或いは
ＮＲ６Ｒ７及び／又はＮＲ８Ｒ９が、モルホリノ環を形成し、並びに
Ｍが、アルカリ金属原子である］の化合物、並びに式（３）：
【００６０】
【化１２】
2006527296.tif 000010
【００６１】
［式中、
Ｒ１０及びＲ１１が、互いに独立して、水素、Ｃ１〜Ｃ４アルキル、Ｃ１〜Ｃ４アルコキシ又はハロゲンであり、並びに
Ｍが、水素又はカチオンである］の化合物からなる群から選択される、更に別の少なくとも１個の蛍光漂白剤、漂白配合物全重量基準で、０〜３０重量％、好ましくは０〜２５重量％、より好ましくは０〜２０重量％、
（ｆ）漂白配合物全重量基準で、防腐剤、ケイ酸（Ｍｇ／Ａｌ）、消臭剤、芳香剤、ビルダー若しくは保護コロイド、安定剤、金属イオン封鎖剤及び凍結防止剤から成る群から選択される、更に別の、少なくとも１個の任意の選択成分０〜２０重量％、好ましくは０．１〜２０重量％、より好ましくは０．1〜１０重量％、最も好ましくは０．２〜５重量％、
（ｇ）１００重量％にするための水を含む。
【００６２】
本発明のより好ましい貯蔵安定性の蛍光漂白配合物は、
（ａ）少なくとも１個の式（１”）： 
【００６３】
【化１３】
2006527296.tif 000011
【００６４】
［式中、
Ｒ１及びＲ２は、互いに独立して、水素、メチル又はエチルであり、
Ｒ３及びＲ４は、互いに独立して、水素、シアノ、置換されていないＣ１〜Ｃ８アルキル、又はヒドロキシ、カルボキシ、−ＣＯＯＨ、−ＣＯＮＨ２、Ｈ２ＮＣ（ＮＨ）ＮＨ２若しくはフェニルで置換されているＣ１〜Ｃ８アルキル（Ｃ１〜Ｃ８アルキル基が−Ｏ−で中断されていないか又は中断されている）、置換されていないＣ５〜Ｃ７シクロアルキル又はＣ１〜Ｃ４アルキル置換されているＣ５〜Ｃ７シクロアルキルであるか、或いは
Ｒ３及びＲ４は、それらを結合している窒素原子とともに、置換されていないモルホリノ、ピペリジン若しくはピロリジン環、又はＣ１−Ｃ４アルキル置換されているモルホリノ、ピペリジン若しくはピロリジン環を形成し、並びに
Ｍは、Ｌｉ、Ｎａ、Ｃａ、Ｍｇ、アンモニウム、モノ−、ジ−、トリ−若しくはテトラ−Ｃ１−Ｃ４アルキルアンモニウム、モノ−、ジ−若しくはトリ−Ｃ２−Ｃ４ヒドロキシアルキルアンモニウム、又はＣ１−Ｃ４アルキル及びＣ２−Ｃ４ヒドロキシアルキル基の混合物で、ジ−若しくはトリ−置換されているアンモニウムである］の化合物、漂白配合物全重量基準で、１０〜５０重量％、好ましくは１０〜４５重量％、
（ｂ）漂白配合物全重量基準で、アルギン酸ナトリウム、カルボキシメチル化グアール、カルボキシメチルセルロース、カルボキシメチルデンプン、カルボキシメチル化イナゴマメ粉及びキサンタンガムから成る群から選択される、少なくとも１個のアニオン性多糖類０．０５〜０．５重量％、好ましくは０．１〜０．３重量％、
（ｃ）漂白配合物全重量基準で、塩化ナトリウム又はカリウム、硫酸ナトリウム又はカリウム、燐酸ナトリウム又はカリウム、炭酸ナトリウム又はカリウム、ギ酸ナトリウム又はカリウム、クエン酸ナトリウム又はカリウムから成る群から選択される、少なくとも１個の電解質０〜２５重量％、好ましくは０．５〜２０重量％、より好ましくは０．５〜１５重量％、
（ｄ）漂白配合物全重量基準で、アルキルベンゼンスルホン酸塩、アルキル又はアルケニルエーテルスルホン酸塩、飽和又は不飽和脂肪酸、アルキル又はアルキレンエーテルカルボン酸塩、スルホ脂肪酸塩又はエステル、燐酸エステル、ポリオキシエチレンアルキル又はアルケニルエーテル、ポリオキシエチレンアルキルビニルエーテル、ポリオキシプロピレンアルキル又はアルケニルエーテル、ポリオキシブチレンアルキル又はアルケニルエーテル、高級脂肪酸のアルカノールアミド又はアルキレンオキシド付加物、ショ糖／脂肪酸エステル、脂肪酸／グリコールモノエステル、アルキルアミンオキシド及びナフタレンスルホン酸とホルムアルデヒドとの縮合生成物、並びにリグニンスルホン酸から成る群から選択される、少なくとも１個の分散剤０〜２０重量％、好ましくは０．１〜２０重量％、より好ましくは０．１〜１０重量％、特に好ましくは０．２〜５重量％、
（ｅ）式（２ａ）： 
【００６５】
【化１４】
2006527296.tif 000012
【００６６】
［式中、
Ｒ’６が、水素、置換されていないＣ１〜Ｃ２アルキル、又はヒドロキシ若しくはＣ１〜Ｃ４アルコキシで置換されているＣ１〜Ｃ４アルキルであり、
Ｒ’７が、置換されていないフェニル、置換されていないＣ１〜Ｃ２アルキル、又はヒドロキシ若しくはＣ１〜Ｃ４アルコキシで置換されているＣ１〜Ｃ４アルキルであり、或いは
ＮＲ’６Ｒ’７が、モルホリノ環を形成し、並びに
Ｍが、アルカリ金属原子、好ましくはナトリウムである］及び式（３）： 
【００６７】
【化１５】
2006527296.tif 000013
【００６８】
［式中、
Ｒ１０及びＲ１１は、互いに独立して、水素、Ｃ１〜Ｃ２アルキル、Ｃ１〜Ｃ２アルコキシ、Ｃｌ又はＢｒであり、そしてＭは水素又はアルカリ金属原子、好ましくはナトリウムである］の化合物からなる群から選択される、更に別の少なくとも１個の蛍光漂白剤、漂白配合物全重量基準で、０〜２５重量％、好ましくは０〜２０重量％、
（ｆ）漂白配合物全重量基準で、クロロアセトアミド、トリアジン誘導体、ベンゾイソチアゾリン、２メチル−２Ｈ−イソチアゾール−３オン、２−オクチル−２Ｈ−イソチアゾール−３オン、２−ブロモ−２−ニトロプロパン−１，３−ジオール、ホルムアルデヒド水溶液、ベントナイト、モンモリロナイト、ゼオライト、ポリビニルアルコール（ＰＶＡ）、ポリビニルピロリドン（ＰＶＰ）、ポリエチレングリコール（ＰＥＧ）、ケイ酸アルミニウム、ケイ酸マグネシウム、エチレングリコール及びプロピレングリコールから成る群から選択される、少なくとも１個の更に別の任意の選択成分０〜２０重量％、好ましくは０．１〜２０重量％、より好ましくは０．１〜１０重量％、特に好ましくは０．２〜５重量％。
（ｇ）１００重量％にするための水を含む。
【００６９】
本発明の特に好ましい貯蔵安定性の蛍光漂白配合物は、
（ａ）少なくとも１個の式（１”）：
【００７０】
【化１６】
2006527296.tif 000014
【００７１】
［式中、
Ｒ１及びＲ２は、互いに独立して、水素、メチル又はエチルであり、
Ｒ３及びＲ４は、互いに独立して、
【００７２】
【化１７】
2006527296.tif 000015
【００７３】
であり、
Ｍは、Ｌｉ、Ｎａ、Ｃａ、Ｍｇ、アンモニウム、モノ−、ジ−、トリ−若しくはテトラ−Ｃ１〜Ｃ４アルキルアンモニウム、モノ−、ジ−若しくはトリＣ２〜Ｃ４ヒドロキシアルキルアンモニウム、又はＣ１〜Ｃ４アルキル及びＣ２〜Ｃ４ヒドロキシアルキル基の混合物で、ジ−若しくはトリ−置換されているアンモニウムである］の化合物、漂白配合物全重量基準で、１０〜４５重量％、
（ｂ）漂白配合物全重量基準で、アルギン酸ナトリウム、カルボキシメチル化グアール、カルボキシメチルセルロース、カルボキシメチルデンプン、カルボキシメチル化イナゴマメ粉及びキサンタンガムから成る群から選択される、少なくとも１個のアニオン性多糖類０．０５〜０．５重量％、好ましくは０．１〜０．３重量％、
（ｃ）漂白配合物全重量基準で、塩化ナトリウム又はカリウム、硫酸ナトリウム又はカリウム、燐酸ナトリウム又はカリウム、炭酸ナトリウム又はカリウム、ギ酸ナトリウム又はカリウム、クエン酸ナトリウム又はカリウムから成る群から選択される、少なくとも１個の電解質０〜２５重量％、好ましくは０．５〜２０重量％、より好ましくは０．５〜１５重量％、
（ｄ）漂白配合物全重量基準で、アルキルベンゼンスルホン酸塩、アルキル又はアルキレンエーテルスルホン酸塩、飽和又は不飽和脂肪酸、アルキル又はアルキレンエーテルカルボン酸塩、スルホ脂肪酸塩又はエステル、燐酸エステル、ポリオキシエチレンアルキル又はアルケニルエーテル、ポリオキシエチレンアルキルビニルエーテル、ポリオキシプロピレンアルキル又はアルケニルエーテル、ポリオキシブチレンアルキル又はアルケニルエーテル、高級脂肪酸のアルカノールアミド又はアルキレンオキシド付加物、ショ糖／脂肪酸エステル、脂肪酸／グリコールモノエステル、アルキルアミンオキシド及びナフタレンスルホン酸とホルムアルデヒドとの縮合生成物、並びにリグニンスルホン酸から成る群から選択される、少なくとも１個の分散剤０〜２０重量％、好ましくは０．１〜２０重量％、より好ましくは０．１〜１０重量％、最も好ましくは０．２〜５重量％、
（ｅ）式：
【００７４】
【化１８】
2006527296.tif 000016
【００７５】
及び式（３’）：
【００７６】
【化１９】
2006527296.tif 000017
【００７７】
［式中、
Ｒ１０及びＲ１１は、互いに独立して、水素、Ｃ１〜Ｃ２アルキル、Ｃ１〜Ｃ２アルコキシ、Ｃｌ又はＢｒであり、並びに
Ｍは水素又はアルカリ金属原子、好ましくはナトリウムである］の化合物からなる群から選択される、更に別の少なくとも１個の蛍光漂白剤、漂白配合物全重量基準で、０〜２５重量％、好ましくは０〜２０重量％、
（ｆ）漂白配合物全重量基準で、クロロアセトアミド、トリアジン誘導体、ベンゾイソチアゾリン、２−メチル−２Ｈ−イソチアゾール−３オン、２−オクチル−２Ｈ−イソチアゾール−３オン、２−ブロモ−２−ニトロプロパン−１，３ジオール、ホルムアルデヒド水溶液、ベントナイト、モンモリロナイト、ゼオライト、ポリビニルアルコール（ＰＶＡ）、ポリビニルピロリドン（ＰＶＰ）、ポリエチレングリコール（ＰＥＧ）、ケイ酸アルミニウム、ケイ酸マグネシウム、エチレングリコール及びプロピレングリコールから成る群から選択される、少なくとも１個の更に別の任意の選択成分０〜２０重量％、好ましくは０．１〜２０重量％、より好ましくは０．１〜１０重量％、特に好ましくは０．２〜５重量％、
（ｇ）１００重量％にするための水を含む。
【００７８】
本発明の貯蔵安定性の配合物は、配合物全重量基準で、少なくとも１個の式（１）の蛍光漂白剤５〜６０重量％を含む湿潤ろ過ケーキ又は乾燥粉末を、アニオン性多糖類０．０１〜１重量％及び水と混合し、配合物を均質化することにより製造する。
【００７９】
懸濁液中のアニオン性蛍光漂白剤の所望の含有量は、湿潤ろ過ケーキに、水、電解質水溶液、更に別の式（２）及び／又は（３）の蛍光剤の懸濁液を加えても、更に乾燥粉末を加えても、調節できる。この調節はアニオン性多糖類の添加前でも、添加過程中でも、添加後でも行うことができる。
【００８０】
このようにして製造された濃度の高い配合物は、例えば洗剤中で、紙又は織物材料の蛍光漂白に使用することができる。この目的のために、更に別の成分や水を加えて、一般に、実用に最適な濃度に希釈して使用される。
【００８１】
この新規な貯蔵安定性の蛍光漂白配合物は、例えば、本発明の蛍光漂白配合物の必要量を、貯槽から洗濯剤又は分散剤の懸濁液が入っている混合器に導入できるようにして、特に洗濯剤に添加して使用する。
【００８２】
本発明の配合物の固形品を、製造することも可能である。このような固形配合物は、従来の方法、例えば噴霧乾燥によって製造することができる。
【００８３】
本発明は、従って、固体及び液体の洗濯剤の製造方法、並びに、例えば、洗濯剤として慣習的に使用されている洗剤の懸濁液と本発明の漂白剤の懸濁液とを混合する工程及び混合物を乾燥する工程を含む本方法で得た洗濯剤にも関する。ここでの乾燥工程は、例えば、噴霧乾燥法で行うことができる。
【００８４】
下記に、本発明の例を、本発明を下記に限定することを意図せずに、説明する。百分率のデータは配合物全重量基準である。
【００８５】
実施例１
下記の化合物を撹拌しながら、２０℃で混合し、均質化した。
式：
【００８６】
【化２０】
2006527296.tif 000018
【００８７】
の蛍光漂白剤３０．０重量％、
プロピレングリコール０．５重量％、
キサンタン０．２５重量％、
Acticide MBS（登録商標）（Acti-Chem Specialties Inc.の登録商標商品名）０．４重量％、及び
１００％にするための脱イオン水。
【００８８】
実施例２
下記の化合物を撹拌しながら、２０℃で混合し、均質化した。
式：
【００８９】
【化２１】
2006527296.tif 000019
【００９０】
の蛍光漂白剤１１．１重量％、
式：
【００９１】
【化２２】
2006527296.tif 000020
【００９２】
の蛍光漂白剤１８．９重量％、
プロピレングリコール０．５重量％
キサンタン０．２５重量％
Acticide MBS（登録商標）（Acti-Chem Specialties Inc.の登録商標商品名）０．４重量％
Surfynol 104 PG 50（登録商標）（Air Products and Chemicals Inc.の登録商標商品名）０．００１重量％、及び
１００重量％にするための脱イオン水。
【国際調査報告】
2006527296.tif 000024
2006527296.tif 000025
2006527296.tif 000026